(57)【要約】【課題】ＲＡＷ画像データに基づく画像の表示を過去の表示に近づけることができる技術を提供する。【解決手段】本発明の画像処理装置は、ＲＡＷ画像データを取得する第１取得手段と、ＲＡＷ画像データに基づく画像の表示に用いられる表示部の表示輝度である第１輝度に関する第１輝度情報を取得する第２取得手段と、現像処理で使用される現像パラメータを、第２取得手段によって取得された第１輝度情報に基づいて設定する設定手段と、設定手段によって設定された現像パラメータを用いた現像処理を、第１取得手段によって取得されたＲＡＷ画像データに施す現像手段と、を有し、設定手段は、第１輝度が第１閾値未満である場合に第１現像パラメータを設定する第１処理と、第１閾値以上の値である第２閾値よりも第１輝度が高い場合に第２現像パラメータを設定する第２処理と、の少なくとも一方を行う。【選択図】図１
2018046429.tif 000002
【特許請求の範囲】
【請求項１】
ＲＡＷ画像データを取得する第１取得手段と、
前記ＲＡＷ画像データに基づく画像の表示に用いられる表示部の表示輝度である第１輝度に関する第１輝度情報を取得する第２取得手段と、
現像処理で使用される現像パラメータを、前記第２取得手段によって取得された第１輝度情報に基づいて設定する設定手段と、
前記設定手段によって設定された現像パラメータを用いた現像処理を、前記第１取得手段によって取得されたＲＡＷ画像データに施す現像手段と、
を有し、
前記設定手段は、
前記第１輝度が第１閾値未満である場合に第１現像パラメータを設定する第１処理と、
前記第１閾値以上の値である第２閾値よりも前記第１輝度が高い場合に第２現像パラメータを設定する第２処理と、
の少なくとも一方を行い、
前記第１現像パラメータは、前記ＲＡＷ画像データの取り得る複数の階調値の少なくともいずれかについて、前記現像処理が施された後の階調値に対応する表示輝度として、所定の現像パラメータを用いた場合に実現される表示輝度よりも高い表示輝度を実現し、
前記第２現像パラメータは、前記ＲＡＷ画像データの取り得る複数の階調値の少なくともいずれかについて、前記現像処理が施された後の階調値に対応する表示輝度として、前記所定の現像パラメータを用いた場合に実現される表示輝度よりも低い表示輝度を実現する
ことを特徴とする画像処理装置。
【請求項２】
前記第１処理では、前記所定の現像パラメータを補正することにより、前記第１現像パラメータが生成され、
前記第２処理では、前記所定の現像パラメータを補正することにより、前記第２現像パラメータが生成される
ことを特徴とする請求項１に記載の画像処理装置。
【請求項３】
前記ＲＡＷ画像データを用いた過去の処理において使用された装置に関する装置情報を取得する第３取得手段と、
前記装置情報に基づいて前記第１閾値と前記第２閾値の少なくとも一方を決定する決定手段と、
をさらに有することを特徴とする請求項１または２に記載の画像処理装置。
【請求項４】
前記過去の処理において使用された装置は、前記ＲＡＷ画像データに基づく画像を表示する表示装置を含み、
前記装置情報は、前記表示装置の表示輝度である第２輝度に関する第２輝度情報を含み、
前記決定手段は、前記第２輝度情報に基づいて、前記第２輝度と略同一の値を前記第１閾値として決定する処理と、前記第２輝度と略同一の値を前記第２閾値として決定する処理との少なくとも一方を行う
ことを特徴とする請求項３に記載の画像処理装置。
【請求項５】
前記第２輝度情報は、前記過去の処理の期間における第２輝度に関する
ことを特徴とする請求項４に記載の画像処理装置。
【請求項６】
前記第２輝度情報は、前記表示装置の画面内の複数の領域にそれぞれ対応する複数の第
２輝度の平均値、前記複数の第２輝度の最大値、前記複数の第２輝度の最小値、前記ＲＡＷ画像データの輝度に関する特徴量と前記第２輝度との対応関係、前記過去の処理の期間における複数のタイミングにそれぞれ対応する複数の第２輝度の平均値、の少なくともいずれかに関する
ことを特徴とする請求項４または５に記載の画像処理装置。
【請求項７】
前記第２輝度情報は、複数の第２輝度に関連し、
前記決定手段は、前記複数の第２輝度のうち、前記第１輝度に最も近い第２輝度に基づいて、前記第１閾値と前記第２閾値の少なくとも一方を決定する
ことを特徴とする請求項４〜６のいずれか１項に記載の画像処理装置。
【請求項８】
前記第２輝度に応じた第１輝度の設定を前記表示部に指示する指示手段、をさらに有する
ことを特徴とする請求項４〜７のいずれか１項に記載の画像処理装置。
【請求項９】
前記装置情報は、前記ＲＡＷ画像データのメタデータに含まれた情報であり、
前記第３取得手段は、前記メタデータから前記装置情報を抽出する
ことを特徴とする請求項３〜８のいずれか１項に記載の画像処理装置。
【請求項１０】
前記所定の現像パラメータを取得する第４取得手段、をさらに有する
ことを特徴とする請求項１〜９のいずれか１項に記載の画像処理装置。
【請求項１１】
前記所定の現像パラメータは、前記ＲＡＷ画像データのメタデータに含まれた現像パラメータであり、
前記第４取得手段は、前記メタデータから前記所定の現像パラメータを抽出する
ことを特徴とする請求項１０に記載の画像処理装置。
【請求項１２】
前記設定手段は、前記第４取得手段によって前記所定の現像パラメータが取得された場合と、制限された表示輝度が前記第１輝度として使用される場合との少なくとも一方において、前記第１処理と前記第２処理の少なくとも一方を行う
ことを特徴とする請求項１０または１１に記載の画像処理装置。
【請求項１３】
前記第１処理では、前記ＲＡＷ画像データの取り得る複数の階調値の少なくともいずれかについて、前記所定の現像パラメータを用いた場合に実現される表示輝度と、前記第１現像パラメータを用いた場合に実現される表示輝度との差として、前記第１輝度と前記第１閾値の差が大きいほど大きい差が実現されるように、前記第１現像パラメータが決定される
ことを特徴とする請求項１〜１２のいずれか１項に記載の画像処理装置。
【請求項１４】
前記第２処理では、前記ＲＡＷ画像データの取り得る複数の階調値の少なくともいずれかについて、前記所定の現像パラメータを用いた場合に実現される表示輝度と、前記第２現像パラメータを用いた場合に実現される表示輝度との差として、前記第１輝度と前記第２閾値の差が大きいほど大きい差が実現されるように、前記第２現像パラメータが決定される
ことを特徴とする請求項１〜１３のいずれか１項に記載の画像処理装置。
【請求項１５】
前記所定の現像パラメータは、前記ＲＡＷ画像データに基づく画像の過去の表示において使用された現像パラメータである
ことを特徴とする請求項１〜１４のいずれか１項に記載の画像処理装置。
【請求項１６】
前記設定手段は、前記第１現像パラメータも前記第２現像パラメータも設定しない場合に、前記所定の現像パラメータを設定する
ことを特徴とする請求項１〜１５のいずれか１項に記載の画像処理装置。
【請求項１７】
前記設定手段は、前記第１処理、前記第２処理、及び、前記第１輝度が前記第１閾値以上かつ前記第２閾値以下である場合に前記所定の現像パラメータを設定する第３処理を行う
ことを特徴とする請求項１〜１６のいずれか１項に記載の画像処理装置。
【請求項１８】
前記第１輝度は、前記表示部の表示輝度の上限である
ことを特徴とする請求項１〜１７のいずれか１項に記載の画像処理装置。
【請求項１９】
ＲＡＷ画像データを取得する第１取得ステップと、
前記ＲＡＷ画像データに基づく画像の表示に用いられる表示部の表示輝度である第１輝度に関する第１輝度情報を取得する第２取得ステップと、
現像処理で使用される現像パラメータを、前記第２取得ステップによって取得された第１輝度情報に基づいて設定する設定ステップと、
前記設定ステップによって設定された現像パラメータを用いた現像処理を、前記第１取得ステップによって取得されたＲＡＷ画像データに施す現像ステップと、
を有し、
前記設定ステップでは、
前記第１輝度が第１閾値未満である場合に第１現像パラメータを設定する第１処理と、
前記第１閾値以上の値である第２閾値よりも前記第１輝度が高い場合に第２現像パラメータを設定する第２処理と、
の少なくとも一方を行い、
前記第１現像パラメータは、前記ＲＡＷ画像データの取り得る複数の階調値の少なくともいずれかについて、前記現像処理が施された後の階調値に対応する表示輝度として、所定の現像パラメータを用いた場合に実現される表示輝度よりも高い表示輝度を実現し、
前記第２現像パラメータは、前記ＲＡＷ画像データの取り得る複数の階調値の少なくともいずれかについて、前記現像処理が施された後の階調値に対応する表示輝度として、前記所定の現像パラメータを用いた場合に実現される表示輝度よりも低い表示輝度を実現する
ことを特徴とする画像処理方法。
【請求項２０】
請求項１９に記載の画像処理方法の各ステップをコンピュータに実行させるためのプログラム。
【発明の詳細な説明】
【技術分野】
【０００１】
本発明は、画像処理装置および画像処理方法に関する。
【背景技術】
【０００２】
撮像によってＲＡＷ画像データを生成可能な撮像装置が普及したため、撮像によってＲＡＷ画像データが生成される機会が増している。ＲＡＷ画像データは、撮像部（撮像素子）の出力値を示す画像データ（未処理の画像データ）である。そして、撮像によって生成された画像データ（撮像画像データ；被写体を表す画像データ）が使用される第１現場から、撮像画像データが使用される第２現場へ、撮像画像データであるＲＡＷ画像データが提供される機会が増している。第１現場は、撮像が行われる撮像現場、ＲＡＷ画像データの編集が行われる編集現場、等である。第２現場は、編集現場、撮像画像（撮像画像データに基づく画像）の鑑賞が行われる鑑賞現場、等である。
【０００３】
ＲＡＷ画像データに基づく画像を表示装置で表示する場合には、ＲＡＷ画像データに現像処理を施す必要がある。現像処理は、デモザイク処理、ガンマ補正処理、ホワイトバランス調整処理、等を含む。現像パラメータ（現像処理で使用されるパラメータ）を変えることによって、表示画像（表示装置で表示された画像）のコントラスト、表示画像のホワイトバランス、等の画質を変えることができる。そのため、第１現場において、第１現場にいる人物（撮像者、編集者、等）の好みに応じた現像パラメータなどが決められることがある。そして、第１現場において現像パラメータが決められた場合に、当該現像パラメータが第１現場から第２現場へ提供されることがある。第１現場から提供された現像パラメータが第２現場で使用されることにより、第１現場の人物が意図した画質を有する表示画像を、第２現場で確認することができる。例えば、第１現場で確認された表示画像の画質と略同一の画質を有する表示画像を、第２現場で確認することができる。
【０００４】
また、表示輝度（表示装置の画面の輝度；表示画像の輝度）の高輝度化が進んでいる。広い表示輝度範囲（表示輝度の範囲）は「ＨＤＲ（Ｈｉｇｈ  Ｄｙｎａｍｉｃ  Ｒａｎｇｅ）」などと呼ばれる。液晶表示装置では、例えば、バックライトユニットの発光輝度を高めることにより、表示輝度を高めることができる。そして、発光輝度の上限が高いバックライトユニットを有する液晶表示装置として、従来の表示装置の表示輝度の数十倍の表示輝度を実現可能な液晶表示装置がある。そのため、第１現場で使用される表示装置の表示輝度、第２現場で使用される表示装置の表示輝度、等は多様化しつつある。その結果、第１現場で確認された表示輝度が、第２現場で確認された表示輝度と異なる状況が発生し得る。例えば、第１現場で確認された表示輝度が、第２現場で確認された表示輝度の数十倍高い状況、第１現場で確認された表示輝度が、第２現場で確認された表示輝度の数十倍低い状況、等が発生し得る。
【０００５】
表示輝度の制御方法、画像処理の制御方法、等に関する従来技術は、例えば、特許文献１，２に開示されている。特許文献１に開示の技術では、画像データの特徴量に応じて、バックライトユニットの発光輝度と、画像データの輝度とが制御される。特許文献２に開示の技術では、表示装置の周囲環境の照度に応じて表示輝度が制御され、アプリケーションの継続利用時間に基づいて表示設定（文字色の設定など）が制御される。また、特許文献２に開示の技術では、表示装置の回転角度に応じて表示輝度が制御される。
【０００６】
表示輝度の上限が互いに異なる複数の表示装置のそれぞれが、同じ画像データに基づいて画像を表示する場合には、複数の表示装置の間で、階調輝度特性（階調値と表示輝度の対応関係）が互いに異なる。表示輝度の上限が１００［ｃｄ／ｍ２］の第１表示装置と、
表示輝度の上限が４０００［ｃｄ／ｍ２］の第２表示装置とのそれぞれが、１０ビットの階調値（０〜４０９５）を有する同じ画像データを表示する場合を考える。なお、第１表示装置と第２表示装置のそれぞれにおいて、表示輝度の下限は０である。この場合には、第１表示装置では、０〜４０９５の階調範囲（階調値の範囲）が０〜１００［ｃｄ／ｍ２］の表示輝度範囲に割り当てられる。一方、第２表示装置では、０〜４０９５の階調範囲が０〜４０００［ｃｄ／ｍ２］の表示輝度範囲に割り当てられる。そのため、或る被写体の表示輝度、或る被写体における表示輝度分布（表示輝度の分布）、等が第１表示装置と第２表示装置の間で互いに異なることとなる。つまり、表示画像の見え方が、第１表示装置と第２表示装置の間で互いに異なることとなる。
【０００７】
そして、従来技術では、上述した表示輝度の差について考慮されていない。そのため、ＲＡＷ画像データに基づく画像の表示として、過去の表示（ＲＡＷ画像データの生成時における表示、ＲＡＷ画像データの編集時における表示、等）と同等の表示を行えないことがある。例えば、第２現場での表示として、第１現場での表示と同等の表示を行えないことがある。即ち、第２現場での表示画像の見え方が、第１現場での表示画像の見え方と異なることがある。
【先行技術文献】
【特許文献】
【０００８】
【特許文献１】特開２０１３−１６１０１８号公報
【特許文献２】特開２０１６−０３３７６０号公報
【発明の概要】
【発明が解決しようとする課題】
【０００９】
本発明は、ＲＡＷ画像データに基づく画像の表示を、過去の表示（ＲＡＷ画像データの生成時における表示、ＲＡＷ画像データの編集時における表示、等）に近づけることができる技術を提供することを目的とする。
【課題を解決するための手段】
【００１０】
本発明の第１の態様は、
ＲＡＷ画像データを取得する第１取得手段と、
前記ＲＡＷ画像データに基づく画像の表示に用いられる表示部の表示輝度である第１輝度に関する第１輝度情報を取得する第２取得手段と、
現像処理で使用される現像パラメータを、前記第２取得手段によって取得された第１輝度情報に基づいて設定する設定手段と、
前記設定手段によって設定された現像パラメータを用いた現像処理を、前記第１取得手段によって取得されたＲＡＷ画像データに施す現像手段と、
を有し、
前記設定手段は、
前記第１輝度が第１閾値未満である場合に第１現像パラメータを設定する第１処理と、
前記第１閾値以上の値である第２閾値よりも前記第１輝度が高い場合に第２現像パラメータを設定する第２処理と、
の少なくとも一方を行い、
前記第１現像パラメータは、前記ＲＡＷ画像データの取り得る複数の階調値の少なくともいずれかについて、前記現像処理が施された後の階調値に対応する表示輝度として、所定の現像パラメータを用いた場合に実現される表示輝度よりも高い表示輝度を実現し、
前記第２現像パラメータは、前記ＲＡＷ画像データの取り得る複数の階調値の少なくともいずれかについて、前記現像処理が施された後の階調値に対応する表示輝度として、前記所定の現像パラメータを用いた場合に実現される表示輝度よりも低い表示輝度を実現す
る
ことを特徴とする画像処理装置である。
【００１１】
本発明の第２の態様は、
ＲＡＷ画像データを取得する第１取得ステップと、
前記ＲＡＷ画像データに基づく画像の表示に用いられる表示部の表示輝度である第１輝度に関する第１輝度情報を取得する第２取得ステップと、
現像処理で使用される現像パラメータを、前記第２取得ステップによって取得された第１輝度情報に基づいて設定する設定ステップと、
前記設定ステップによって設定された現像パラメータを用いた現像処理を、前記第１取得ステップによって取得されたＲＡＷ画像データに施す現像ステップと、
を有し、
前記設定ステップでは、
前記第１輝度が第１閾値未満である場合に第１現像パラメータを設定する第１処理と、
前記第１閾値以上の値である第２閾値よりも前記第１輝度が高い場合に第２現像パラメータを設定する第２処理と、
の少なくとも一方を行い、
前記第１現像パラメータは、前記ＲＡＷ画像データの取り得る複数の階調値の少なくともいずれかについて、前記現像処理が施された後の階調値に対応する表示輝度として、所定の現像パラメータを用いた場合に実現される表示輝度よりも高い表示輝度を実現し、
前記第２現像パラメータは、前記ＲＡＷ画像データの取り得る複数の階調値の少なくともいずれかについて、前記現像処理が施された後の階調値に対応する表示輝度として、前記所定の現像パラメータを用いた場合に実現される表示輝度よりも低い表示輝度を実現する
ことを特徴とする画像処理方法である。
【００１２】
本発明の第３の態様は、本発明の第２の態様である画像処理方法の各ステップをコンピュータに実行させるためのプログラムである。
【発明の効果】
【００１３】
本発明によれば、ＲＡＷ画像データに基づく画像の表示を、過去の表示（ＲＡＷ画像データの生成時における表示、ＲＡＷ画像データの編集時における表示、等）に近づけることができる。
【図面の簡単な説明】
【００１４】
【図１】実施例１に係る表示装置の機能構成の一例を示すブロック図
【図２】実施例１に係る表示装置の処理フローの一例を示すフローチャート
【図３】実施例１に係る現像処理の変換特性の一例を示す図
【図４】実施例１に係る現像処理の変換特性の一例を示す図
【図５】実施例１に係るＲＡＷ画像データの階調ヒストグラムの一例を示す図
【図６】実施例１に係る現像画像データの階調ヒストグラムの一例を示す図
【図７】実施例１に係る演算装置の機能構成の一例を示すブロック図
【図８】実施例１に係る演算装置の機能構成の一例を示すブロック図
【図９】実施例２に係る第２表示装置の機能構成の一例を示すブロック図
【図１０】実施例２に係る第１表示装置の機能構成の一例を示すブロック図
【図１１】実施例２に係る第１表示装置の処理フローの一例を示すフローチャート
【図１２】実施例２に係る第１表示装置の機能構成の一例を示すブロック図
【図１３】実施例２に係る第１表示装置の処理フローの一例を示すフローチャート
【発明を実施するための形態】
【００１５】
＜実施例１＞
以下、本発明の実施例１について説明する。なお、以下では、本実施例に係る画像処理装置が表示装置に設けられている例を説明するが、本実施例に係る画像処理装置は、表示装置とは別体の装置であってもよい。本実施例に係る画像処理装置としては、表示装置、再生装置、パーソナルコンピュータ（ＰＣ）、等を使用することができる。また、以下では、本実施例に係る表示装置が透過型の液晶表示装置である例を説明するが、本実施例に係る表示装置は透過型の液晶表示装置に限られない。本実施例に係る表示装置として、発光部と、発光部からの光を変調することにより画面に画像を表示する表示パネルと、を有する他の表示装置を使用することもできる。例えば、本実施例に係る表示装置として、反射型の液晶表示装置、表示素子としてＭＥＭＳ（Ｍｉｃｒｏ  Ｅｌｅｃｔｒｏ  Ｍｅｃｈａｎｉｃａｌ  Ｓｙｓｔｅｍ）シャッタを有するＭＥＭＳシャッタ方式表示装置、プロジェクタ、等を使用することができる。本実施例に係る表示装置として、有機ＥＬ表示装置、プラズマ表示装置、等の自発光型の表示装置を使用することもできる。
【００１６】
図１は、本実施例に係る表示装置１００の機能構成の一例を示すブロック図である。図１に示すように、表示装置１００は、画像入力部１０１、記憶部１０２、画像処理部１０３、パネル制御部１０８、表示部１０９、表示輝度決定部１１０、バックライト制御部１１１、及び、バックライトユニット１１２を有する。
【００１７】
画像入力部１０１は、ＲＡＷ画像データを外部から取得し、取得したＲＡＷ画像データを、入力画像データとして記憶部１０２に記録する。ＲＡＷ画像データは、撮像によって生成された画像データ（撮像画像データ；被写体を表す画像データ）であり、撮像部（撮像素子）の出力値を示す画像データ（未処理の画像データ）である。ＲＡＷ画像データは、ケーブルを介して取得されてもよいし、無線で取得されてもよい。また、記憶装置（不図示）が記憶しているＲＡＷ画像データが、記憶装置から読み出されることにより、ＲＡＷ画像データが取得されてもよい。記憶装置は、表示装置１００に内蔵された装置であってもよいし、表示装置１００に対して着脱可能な装置であってもよい。以下では、入力画像データが静止画のＲＡＷ画像データである例を説明するが、入力画像データは動画のＲＡＷ画像データであってもよい。入力画像データが動画のＲＡＷ画像データである場合には、例えば、以下で述べる処理が動画の各フレームについて行われる。
【００１８】
記憶部１０２は、様々なデータ（入力画像データなど）を記憶する記憶装置である。記憶部１０２としては、例えば、ハードディスク装置（ＨＤＤ）、ＲＯＭ、ＲＡＭ、等が使用される。記憶部１０２は、表示装置１００に内蔵された装置であってもよいし、表示装置１００に対して着脱可能な装置であってもよい。
【００１９】
画像処理部１０３は、入力画像データであるＲＡＷ画像データを記憶部１０２から取得し、取得したＲＡＷ画像データに現像処理を施すことにより現像画像データを生成する。現像処理は、デモザイク処理、ガンマ補正処理、ホワイトバランス調整処理、等を含む。そして、画像処理部１０３は、現像画像データをパネル制御部１０８に出力する。本実施例では、画像処理部１０３は、表示装置１００の基準の表示輝度である第１輝度に関する第１輝度情報を取得し、現像パラメータ（現像処理で使用されるパラメータ）を第１輝度情報に基づいて設定する。表示輝度は、画面の輝度であり、表示画像（画面に表示された画像）の輝度である。このように設定された現像パラメータが現像処理で使用されることにより、表示装置１００での表示（ＲＡＷ画像データに基づく画像の表示）を、過去の表示に近づけることができる。過去の表示は、ＲＡＷ画像データの生成時における表示、ＲＡＷ画像データの編集時における表示、等である。「ＲＡＷ画像データの生成時における表示」は「撮影時の表示」とも言える。
【００２０】
本実施例では、第１輝度は、表示装置１００の表示輝度の上限として設定された表示輝度である。なお、第１輝度は特に限定されない。例えば、第１輝度は、表示装置１００の表示輝度の範囲の中心に対応する表示輝度であってもよい。第１輝度情報のフォーマットも特に限定されない。例えば、第１輝度情報は、第１輝度を直接的に示す情報であってもよいし、第１輝度を間接的に示す情報であってもよい。具体的には、第１輝度情報は、第１輝度そのものが記述された情報であってもよいし、第１輝度に対応する動作モード、第１輝度に対応する動作モードの識別子、第１輝度の識別子、等が記述された情報であってもよい。第１輝度情報では、規格などで定められた係数、規格などで定められたＩＤ、等によって、第１輝度が示されていてもよい。
【００２１】
なお、画像処理部１０３は、現像画像データをパネル制御部１０８に出力せず、現像画像データを記憶部１０２に記録してもよい。そして、パネル制御部１０８が、記憶部１０２から現像画像データを読み出してもよい。また、画像処理部１０３は、ハードウェアで構成されていてもよいし、ソフトウェアで構成されていてもよい。
【００２２】
画像処理部１０３は、上記画像処理装置（本実施例に係る画像処理装置）に対応する。画像処理部１０３は、表示装置１００とは別体の装置であってもよい。表示装置１００が有する複数の他の機能部の少なくともいずれかが、画像処理部１０３に含まれていてもよい。
【００２３】
パネル制御部１０８は、画像処理部１０３から出力された現像画像データに基づいて、表示部１０９の処理を制御する。表示部１０９の処理の制御方法は特に限定されない。本実施例では、表示部１０９は、複数の液晶素子を有する液晶パネルである。パネル制御部１０８は、現像画像データに基づいて、各液晶素子の透過率を制御するパネル制御信号を生成する。例えば、パネル制御信号として、各液晶素子に印加される電圧を制御する電圧信号が生成される。そして、パネル制御部１０８は、パネル制御信号を表示部１０９に出力する。それにより、表示部１０９において、各液晶素子の透過率が、現像画像データ（具体的にはパネル制御信号）に応じた透過率に制御される。そして、バックライトユニット１１２からの光が現像画像データに応じた透過率で表示部１０９（各液晶素子）を透過することにより、現像画像データに基づく画像が画面に表示される。
【００２４】
表示輝度決定部１１０は、上述した第１輝度を決定し、決定した第１輝度に関する第１輝度情報を画像処理部１０３とバックライト制御部１１１に出力する。第１輝度の決定方法は特に限定されない。例えば、ユーザが操作入力部（表示装置１００に設けられたボタン、表示装置１００のコントローラ、等；不図示）を用いて表示装置１００に対して行った操作に応じて、第１輝度が決定されてもよい。具体的には、ユーザが指定した表示輝度が第１輝度として決定されてもよい。表示装置１００の周囲の明るさを測定するセンサ（不図示）の測定結果、表示装置１００の温度を測定するセンサ（不図示）の測定結果、入力画像データであるＲＡＷ画像データの特徴、等に基づいて、第１輝度が適応的に決定されてもよい。第１輝度は、予め定められた固定値であってもよい。その場合には、表示装置１００と同種の複数の表示装置の間で共通の表示輝度が第１輝度として使用されてもよいし、複数の表示装置のそれぞれに対して個別に定められた表示輝度が第１輝度として使用されてもよい。
【００２５】
バックライト制御部１１１は、表示輝度決定部１１０からの第１輝度情報に基づいて、バックライトユニット１１２の処理を制御する。バックライトユニット１１２の処理の制御方法は特に限定されない。本実施例では、バックライト制御部１１１は、第１輝度情報に基づいて、第１輝度に対応する発光輝度にバックライトユニット１１２の発光輝度を制御するバックライト制御信号を生成する。例えば、バックライト制御信号として、バックライトユニット１１２に供給されるパルス信号のパルス幅を制御するＰＷＭ信号が生成さ
れる。バックライト制御信号として、パルス信号のパルス振幅を制御するＰＡＭ信号が生成されてもよいし、パルス幅とパルス振幅の両方を制御するＰＨＭ信号が生成されてもよい。そして、バックライト制御部１１１は、バックライト制御信号をバックライトユニット１１２に出力する。それにより、バックライトユニット１１２の発光輝度が、第１輝度に対応する発光輝度に制御される。「第１輝度に対応する発光輝度」は、「第１輝度と同じ発光輝度」、「第１輝度よりもわずかに高い発光輝度」、等である。バックライトユニット１１２からの光は、表示部１０９の背面に照射される。バックライトユニット１１２の発光輝度が第１輝度に対応する発光輝度に制御されることにより、第１輝度に対応する表示輝度に表示輝度が制御される。
【００２６】
画像処理部１０３について、より詳細に説明する。画像処理部１０３は、ＲＡＷ画像取得部１０４、表示輝度取得部１０５、パラメータ制御部１０６、及び、ＲＡＷ現像部１０７を有する。図２は、画像処理部１０３の処理フローの一例を示すフローチャートである。以下では、図２のフローチャートを用いて、画像処理部１０３の各機能部の処理について説明する。
【００２７】
まず、ＲＡＷ画像取得部１０４は、記憶部１０２から、入力画像データであるＲＡＷ画像データを取得する（Ｓ２０１）。次に、表示輝度取得部１０５は、表示輝度決定部１１０から第１輝度情報を取得する（Ｓ２０２）。なお、Ｓ２０１の処理と並列にＳ２０２の処理が行われてもよいし、Ｓ２０１の処理よりも前にＳ２０２の処理が行われてもよい。
【００２８】
そして、パラメータ制御部１０６は、取得された第１輝度情報に関連した第１輝度が、第１閾値以上かつ第２閾値以下であるか否かを判断する（Ｓ２０３）。第１輝度が第１閾値以上かつ第２閾値以下である場合には、Ｓ２０４へ処理が進められる。第１輝度が第１閾値以上かつ第２閾値以下でない場合には、Ｓ２０５へ処理が進められる。
【００２９】
第１閾値と第２閾値は特に限定されない。第２閾値は、第１閾値以上の値であればよい。例えば、第１閾値として、一般的な基準の表示輝度の範囲における下限の表示輝度に近い表示輝度が使用される。第２閾値として、一般的な基準の表示輝度の範囲における上限の表示輝度に近い表示輝度が使用される。なお、第１閾値と第２閾値のそれぞれは、表示装置１００に対して予め定められた固定値であってもよいし、適宜変更される値であってもよい。例えば、表示装置１００の外部から通信部（不図示）を介して表示装置１００へ、第１閾値と第２閾値のそれぞれを更新する指示が適宜行われてもよい。そして、表示装置１００において、表示装置１００の外部からの指示に応じて、第１閾値と第２閾値のそれぞれが適宜更新されてもよい。また、表示装置１００に搭載されたアプリケーションを使用してＲＡＷ画像データに基づく画像が表示される場合には、アプリケーションの種類に応じて第１閾値と第２閾値のそれぞれが変更されてもよい。
【００３０】
Ｓ２０３からＳ２０４へ処理が進められた場合について説明する。Ｓ２０４にて、パラメータ制御部１０６は、基準の現像パラメータを設定する。基準の現像パラメータは特に限定されない。例えば、基準の現像パラメータとして、ＲＡＷ画像データに基づく画像の過去の表示において使用された現像パラメータを使用することができる。基準の現像パラメータとして、デモザイク処理を行い、且つ、ガンマ補正処理、ホワイトバランス調整処理、等の画質調整処理を行わない現像パラメータを使用することもできる。基準の現像パラメータを設定する際に当該現像パラメータが既に決まっている場合には、「基準の現像パラメータ」は「所定の現像パラメータ」とも言える。
【００３１】
基準の現像パラメータは、表示装置１００に対して予め定められた現像パラメータであってもよいし、適宜変更される現像パラメータであってもよい。表示装置１００は、予め定められた基準の現像パラメータを記憶する現像パラメータ記憶部（不図示）を有してい
てもよい。基準の現像パラメータは、表示装置１００の外部から取得されてもよい。基準の現像パラメータの取得方法は特に限定されない。ＲＡＷ画像データのメタデータに含まれた現像パラメータが、基準の現像パラメータとして使用されてもよい。その場合には、パラメータ制御部１０６は、メタデータから基準の現像パラメータを抽出する。ＲＡＷ画像データと、基準の現像パラメータとが個別に取得されてもよい。ＲＡＷ画像データのメタデータに、ＲＡＷ画像データの撮像条件に関する撮像情報が含まれていてもよい。そして、パラメータ制御部１０６は、メタデータから撮像情報を抽出し、所定のアルゴリズムに従って、ＲＡＷ画像データの撮像条件から基準の現像パラメータを生成（取得）してもよい。パラメータ制御部１０６は、ユーザが操作入力部を用いて表示装置１００に対して行った操作に応じて、基準の現像パラメータを取得してもよい。具体的には、パラメータ制御部１０６は、ユーザが指定した現像パラメータを、基準の現像パラメータとして取得してもよい。この場合には、ユーザからの指示に応じて、基準の現像パラメータが適宜変更される。基準の現像パラメータの取得は、パラメータ制御部１０６とは異なる機能部によって行われてもよい。
【００３２】
次に、ＲＡＷ現像部１０７は、パラメータ制御部１０６によって設定された現像パラメータを用いて、ＲＡＷ画像取得部１０４によって取得されたＲＡＷ画像データに現像処理を施す（Ｓ２０８）。それにより、現像画像データが生成される。そして、ＲＡＷ現像部１０７は、生成した現像画像データをパネル制御部１０８に出力する（Ｓ２０９）。
【００３３】
このように、本実施例では、第１輝度が第１閾値以上かつ第２閾値以下である場合に、基準の現像パラメータを用いた現像処理が行われる。つまり、第１輝度が、一般的な表示装置の基準の表示輝度と同等である場合に、基準の現像パラメータを用いた現像処理が行われる。過去の表示では、第１閾値以上かつ第２閾値以下の表示輝度が基準の表示輝度として使用されている可能性が高く、基準の現像パラメータに近い現像パラメータが使用されている可能性が高い。そのため、本実施例では、第１輝度が第１閾値以上かつ第２閾値以下である場合に、基準の現像パラメータを用いた現像処理を行うことにより、過去の表示に近い表示を実現することができる。
【００３４】
Ｓ２０３からＳ２０５へ処理が進められた場合について説明する。Ｓ２０５にて、パラメータ制御部１０６は、取得された第１輝度情報に関連した第１輝度が、第１閾値未満であるか否かを判断する。第１輝度が第１閾値未満である場合には、Ｓ２０６へ処理が進められる。第１輝度が第１閾値未満でない場合、具体的には第１輝度が第２閾値よりも高い場合には、Ｓ２０７へ処理が進められる。なお、第１輝度が第１閾値未満である場合と、第１輝度が第２閾値よりも高い場合との一方において、Ｓ２０４へ処理が進められてもよい。
【００３５】
Ｓ２０５からＳ２０６へ処理が進められた場合について説明する。Ｓ２０６にて、パラメータ制御部１０６は、第１現像パラメータを設定する。そして、Ｓ２０８の処理とＳ２０９の処理とが行われる。第１現像パラメータは、予め定められた現像パラメータであってもよいし、適宜変更される現像パラメータであってもよい。本実施例では、パラメータ制御部１０６は、基準の現像パラメータを補正することにより、第１現像パラメータを生成する。
【００３６】
第１輝度が第１閾値未満であり、且つ、基準の現像パラメータが使用される場合には、過去の表示よりも暗い表示が行われる可能性が高い。そこで、本実施例では、ＲＡＷ画像データの取り得る複数の階調値の少なくともいずれかについて以下の条件１−１を満たす現像パラメータを、第１現像パラメータとして使用する。本実施例では、現像画像データの階調値が大きいほど表示輝度が高い。そのため、条件１−１は、以下の条件１−２とも言える。なお、現像画像データの階調値と表示輝度との対応関係は特に限定されない。例
えば、現像画像データの階調値が小さいほど表示輝度が高くてもよい。
条件１−１：現像処理が施された後の階調値に対応する表示装置１００の表示輝度として、基準の現像パラメータを用いた場合に実現される表示輝度よりも高い表示輝度が実現される。
条件１−２：現像処理が施された後の階調値として、基準の現像パラメータを用いた場合に得られる階調値よりも大きい階調値が得られる。
【００３７】
図３（Ａ），３（Ｂ）は、ＲＡＷ画像データの階調値（入力階調値）と、現像画像データの階調値（出力階調値）との対応関係の一例を示す。図３（Ａ），３（Ｂ）の対応関係は、「現像処理の変換特性」とも言える。図３（Ａ）は、基準の現像パラメータを用いた場合の例を示し、図３（Ｂ）は、第１現像パラメータを用いた場合の例を示す。本実施例では、入力階調値は１６ビットの階調値（０〜６５５３５）であり、出力階調値は１２ビットの階調値（０〜４０９５）である。なお、入力階調値のビット数と出力階調値のビット数とは特に限定されない。
【００３８】
図３（Ａ）に示すように、基準の現像パラメータが使用された場合には、０から６５５３５への入力階調値の増加に対して、０から４０９５へ出力階調値が線形に増加する。一方、図３（Ｂ）に示すように、第１現像パラメータが使用された場合には、各入力階調値が、図３（Ａ）の出力階調値よりも大きい出力階調値へ変換される。具体的には、図３（Ｂ）では、０からの入力階調値の増加に対して、図３（Ａ）の傾き（入力階調値の変化に対する出力階調値の変化の傾き）よりも大きい傾きで、出力階調値が０から線形に増加する。そして、出力階調値が上限（４０９５）に達する入力階調値以上の入力階調値は、出力階調値の上限へ変換される。
【００３９】
図３（Ｂ）の対応関係を実現する第１現像パラメータは、図３（Ａ）の対応関係の傾きがＮ倍（Ｎは１よりも大きい）されるように基準の現像パラメータを補正することにより、得ることができる。Ｎの値は、予め決められた固定値であってもよいし、適宜変更される値であってもよい。例えば、第１輝度と第１閾値の差などに基づいてＮの値が決定されてもよい。第１輝度が第１閾値未満であり、且つ、基準の現像パラメータが使用される場合を考える。この場合には、第１輝度と第１閾値の差が大きいほど過去の表示との表示輝度の差が大きい表示が行われる可能性が高い。そのため、ＲＡＷ画像データの取り得る複数の階調値の少なくともいずれかについて以下の条件２を満たように、第１現像パラメータが決定されることが好ましい。そのような第１現像パラメータは、例えば、第１輝度と第１閾値の差が大きい値をＮの値として使用することで、得ることができる。
条件２：基準の現像パラメータを用いた場合に実現される表示輝度と、第１現像パラメータを用いた場合に実現される表示輝度との差として、第１輝度と第１閾値の差が大きいほど大きい差が実現される。
【００４０】
なお、入力階調値と出力階調値の対応関係は、図３（Ａ），３（Ｂ）の対応関係に限られない。例えば、入力階調値の変化に対して出力階調値が非線形に変化してもよい。ＲＡＷ画像データの取り得る複数の階調値の少なくともいずれかについて条件１−１が満たされれば、入力階調値と出力階調値の対応関係はどのような対応関係であってもよい。
【００４１】
図４（Ａ）〜４（Ｃ）は、入力階調値と出力階調値との対応関係の他の例を示す。図４（Ａ）〜４（Ｃ）のそれぞれは、第１現像パラメータを用いた場合の例を示す。図４（Ａ）では、低階調範囲（低い入力階調値の範囲）内の入力階調値が、図３（Ａ）の出力階調
値よりも大きい出力階調値へ変換され、低階調範囲外の入力階調値が、図３（Ａ）の出力階調値と同じ出力階調値へ変換される。図４（Ｂ）では、中間階調範囲（低くも高くもない中間的な入力階調値の範囲）内の入力階調値が、図３（Ａ）の出力階調値よりも大きい出力階調値へ変換され、中間階調範囲外の入力階調値が、図３（Ａ）の出力階調値と同じ出力階調値へ変換される。そして、図４（Ｃ）では、高階調範囲（高い入力階調値の範囲）内の入力階調値が、図３（Ａ）の出力階調値よりも大きい出力階調値へ変換され、高階調範囲外の入力階調値が、図３（Ａ）の出力階調値と同じ出力階調値へ変換される。なお、低階調範囲、中間階調範囲、及び、高階調範囲は、どのように定められてもよい。
【００４２】
なお、第１現像パラメータの増加階調範囲（基準の現像パラメータを用いた場合の出力階調値よりも大きい出力階調値へ変換される入力階調値の範囲）は、予め定められていてもよいし、適宜変更されてもよい。例えば、パラメータ制御部１０６が、ユーザが操作入力部を用いて表示装置１００に対して行った操作に応じて、増加階調範囲を決定してもよい。パラメータ制御部１０６が、ＲＡＷ画像データの特徴に応じて、増加階調範囲を決定してもよい。それらの場合には、パラメータ制御部１０６は、決定した増加階調範囲に基づいて第１現像パラメータを決定する。パラメータ制御部１０６は、増加階調範囲を決定せずに、第１現像パラメータ、第１現像パラメータの対応関係（入力階調値と出力階調値との対応関係）、等を決定してもよい。
【００４３】
また、複数の第１現像パラメータが予め用意されてもよい。そして、パラメータ制御部１０６は、表示装置１００に対してユーザが行った操作、ＲＡＷ画像データの特徴、等に応じて、複数の第１現像パラメータのいずれかを選択して設定してもよい。例えば、図４（Ａ）〜４（Ｃ）に対応する３つの第１現像パラメータが予め用意されてもよい。そして、パラメータ制御部１０６は、表示装置１００に対してユーザが行った操作、ＲＡＷ画像データの特徴、等に応じて、３つの第１現像パラメータのいずれかを選択して設定してもよい。
【００４４】
図５は、ＲＡＷ画像データの階調ヒストグラム（階調値のヒストグラム）の一例を示す。図５の横軸はＲＡＷ画像データの階調値を示し、図５の縦軸は各階調値の度数（画素の数）を示す。図５は、階調値が小さい被写体５０１と、階調値が大きい被写体５０２とが存在するＲＡＷ画像データの例を示す。図６（Ａ），６（Ｂ）は、図５のＲＡＷ画像データから生成された現像画像データの階調ヒストグラムの一例を示す。図６（Ａ）は、基準の現像パラメータを用いた場合の例を示し、図６（Ｂ）は、第１現像パラメータを用いた場合の例を示す。具体的には、図６（Ａ）は、図３（Ａ）の対応関係に基づいて得られた現像画像データの階調ヒストグラムを示す。図６（Ｂ）は、図３（Ｂ）の対応関係に基づいて得られた現像画像データの階調ヒストグラムを示す。
【００４５】
図６（Ａ）に示すように、基準の現像パラメータが使用された場合には、現像画像データの階調ヒストグラムとして、図５の階調ヒストグラム（ＲＡＷ画像データの階調ヒストグラム）と同様の階調ヒストグラムが得られる。一方、第１現像パラメータが使用された場合には、図６（Ｂ）のように、図６（Ａ）の階調ヒストグラムを全体的に高階調側（階調値が高い側）にシフトした階調ヒストグラムが得られる。そのため、被写体５０１，５０２の階調値（現像画像データの階調値）は、基準の現像パラメータから第１現像パラメータへ現像パラメータを変更することにより、高階調側にシフトする。上述したように、本実施例では、現像画像データの階調値が大きいほど表示輝度が高い。そのため、バックライトユニット１１２の発光輝度が一定であっても、被写体５０１，５０２の階調値（現像画像データの階調値）を高階調側にシフトさせることにより、被写体５０１，５０２の表示輝度を高めることができる。
【００４６】
このように、本実施例では、第１輝度が第１閾値未満である場合に、第１現像パラメー
タを用いた現像処理が行われる。つまり、第１輝度が、一般的な表示装置の基準の表示輝度よりも低い場合に、第１現像パラメータを用いた現像処理が行われる。上述したように、第１輝度が第１閾値未満であり、且つ、基準の現像パラメータが使用される場合には、過去の表示よりも暗い表示が行われる可能性が高い。そのため、本実施例では、第１輝度が第１閾値未満である場合に、第１現像パラメータを用いた現像処理を行うことにより、基準の現像パラメータを用いた場合の表示輝度よりも高い表示輝度を実現でき、過去の表示に近い表示を実現することができる。
【００４７】
Ｓ２０５からＳ２０７へ処理が進められた場合について説明する。Ｓ２０７にて、パラメータ制御部１０６は、第２現像パラメータを設定する。そして、Ｓ２０８の処理とＳ２０９の処理とが行われる。第２現像パラメータは、予め定められた現像パラメータであってもよいし、適宜変更される現像パラメータであってもよい。本実施例では、パラメータ制御部１０６は、基準の現像パラメータを補正することにより、第２現像パラメータを生成する。
【００４８】
第１輝度が第２閾値よりも高く、且つ、基準の現像パラメータが使用される場合には、過去の表示よりも明るい表示が行われる可能性が高い。そこで、本実施例では、ＲＡＷ画像データの取り得る複数の階調値の少なくともいずれかについて以下の条件３−１を満たす現像パラメータを、第２現像パラメータとして使用する。上述したように、本実施例では、現像画像データの階調値が大きいほど表示輝度が高い。そのため、条件３−１は、以下の条件３−２とも言える。
条件３−１：現像処理が施された後の階調値に対応する表示装置１００の表示輝度として、基準の現像パラメータを用いた場合に実現される表示輝度よりも低い表示輝度が実現される。
条件３−２：現像処理が施された後の階調値として、基準の現像パラメータを用いた場合に得られる階調値よりも小さい階調値が得られる。
【００４９】
図３（Ｃ）は、入力階調値と出力階調値との対応関係の一例を示す。図３（Ｃ）は、第２現像パラメータを用いた場合の例を示す。図３（Ｂ）に示すように、第２現像パラメータが使用された場合には、各入力階調値が、図３（Ａ）の出力階調値よりも小さい出力階調値へ変換される。具体的には、図３（Ｂ）では、０から４０９５への入力階調値の増加に対して、図３（Ａ）の傾きよりも小さい傾きで、出力階調値が０から線形に増加する。
【００５０】
図３（Ｃ）の対応関係を実現する第２現像パラメータは、図３（Ａ）の対応関係の傾きがＭ倍（Ｎは１よりも小さい）されるように基準の現像パラメータを補正することにより、得ることができる。Ｍの値は、予め決められた固定値であってもよいし、適宜変更される値であってもよい。例えば、第１輝度と第２閾値の差などに基づいてＭの値が決定されてもよい。第１輝度が第２閾値よりも高く、且つ、基準の現像パラメータが使用される場合を考える。この場合には、第１輝度と第２閾値の差が大きいほど過去の表示との表示輝度の差が大きい表示が行われる可能性が高い。そのため、ＲＡＷ画像データの取り得る複数の階調値の少なくともいずれかについて以下の条件４を満たように、第２現像パラメータが決定されることが好ましい。そのような第２現像パラメータは、例えば、第１輝度と第２閾値の差が小さい値をＭの値として使用することで、得ることができる。
条件４：基準の現像パラメータを用いた場合に実現される表示輝度と、第２現像パラメータを用いた場合に実現される表示輝度との差として、第１輝度と第２閾値の差が大きいほど大きい差が実現される。
【００５１】
なお、第２現像パラメータの対応関係（入力階調値と出力階調値の対応関係）は、図３（Ｃ）の対応関係に限られない。ＲＡＷ画像データの取り得る複数の階調値の少なくともいずれかについて条件３−１が満たされれば、第２現像パラメータの対応関係はどのような対応関係であってもよい。
【００５２】
図６（Ｃ）は、図５のＲＡＷ画像データから生成された現像画像データの階調ヒストグラムの一例を示す。図６（Ｃ）は、第２現像パラメータを用いた場合の例を示す。具体的には、図６（Ｃ）は、図３（Ｃ）の対応関係に基づいて得られた現像画像データの階調ヒストグラムを示す。第２現像パラメータが使用された場合には、図６（Ｃ）のように、図６（Ａ）の階調ヒストグラムを全体的に低階調側（階調値が低い側）にシフトした階調ヒストグラムが得られる。そのため、被写体５０１，５０２の階調値（現像画像データの階調値）は、基準の現像パラメータから第２現像パラメータへ現像パラメータを変更することにより、低階調側にシフトする。上述したように、本実施例では、現像画像データの階調値が大きいほど表示輝度が高い。そのため、バックライトユニット１１２の発光輝度が一定であっても、被写体５０１，５０２の階調値（現像画像データの階調値）を低階調側にシフトさせることにより、被写体５０１，５０２の表示輝度を低減することができる。
【００５３】
このように、本実施例では、第１輝度が第２閾値よりも高い場合に、第２現像パラメータを用いた現像処理が行われる。つまり、第１輝度が、一般的な表示装置の基準の表示輝度よりも高い場合に、第２現像パラメータを用いた現像処理が行われる。上述したように、第１輝度が第２閾値よりも高く、且つ、基準の現像パラメータが使用される場合には、過去の表示よりも明るい表示が行われる可能性が高い。そのため、本実施例では、第１輝度が第２閾値よりも高い場合に、第２現像パラメータを用いた現像処理を行うことにより、基準の現像パラメータを用いた場合の表示輝度よりも低い表示輝度を実現でき、過去の表示に近い表示を実現することができる。
【００５４】
以上述べたように、本実施例によれば、第１輝度に応じて現像パラメータが切り替えられて使用される。それにより、ＲＡＷ画像データに基づく画像の表示を過去の表示に近づけることができる。
【００５５】
また、本実施例によれば、バックライトユニットの発光輝度を変えることなく上記効果を得ることができる。そのため、バックライトユニットの発光輝度を変更することができない表示装置が使用される場合においても、上記効果を得ることができる。また、消費電力、バッテリー残量、装置温度、等の影響によって、表示輝度が一時的に制限されている場合においても、上記効果を得ることができる。表示輝度は、例えば、バックライトユニットの発光輝度、バックライトユニットの発光輝度の変更、等が一時的に制限されることにより、制限される。
【００５６】
また、本実施例によれば、現像パラメータのみが切り替えられるため、現像画像データの階調値のみが変更される。そのため、画面における現像画像データの領域以外の領域の見え方を変えることなく上記効果を得ることができる。例えば、現像画像データに基づく画像（現像画像）と、他の画像とを同時に表示する場合において、他の画像の見え方を変えることなく上記効果を得ることができる。他の画像は、例えば、グラフィック画像（メニュー画像、アイコン画像、等）、他の画像コンテンツ、等である。現像画像と他の画像は、例えば、現像画像データと他の画像の画像データとを合成することにより得られる合成画像データを用いることで、同時に表示される。
【００５７】
なお、図２の例では、第１輝度が第１閾値未満である場合に第１現像パラメータが設定され、第１輝度が第２閾値よりも高い場合に第２現像パラメータが設定されるが、これに
限られない。例えば、第１輝度が第１閾値未満である場合と、第１輝度が第２閾値よりも高い場合との一方において、基準の現像パラメータが設定されてもよい。現像パラメータの切り替えを行うか否かがユーザによって予め指定されてもよい。ＲＡＷ画像データに基づく画像を表示する際に、現像パラメータの切り替えを行うか否かをユーザに問い合わせてもよい。第１現像パラメータも第２現像パラメータも設定されない場合には、例えば、基準の現像パラメータが設定されればよい。基準の現像パラメータが取得されたか否かが判断され、基準の現像パラメータが取得された場合などに限って、現像パラメータの切り替えが行われてもよい。例えば、ＲＡＷ画像データのメタデータに現像パラメータ（基準の現像パラメータ）が含まれているか否かが判断され、メタデータに現像パラメータが含まれている場合などに限って、現像パラメータの切り替えが行われてもよい。基準の現像パラメータが取得されなかった場合には、例えば、予め用意された他の現像パラメータが設定されればよい。消費電力、バッテリー残量、装置温度、等の影響によって表示輝度が一時的に制限されているか否かが判断され、表示輝度が一時的に制限されている場合などに限って、現像パラメータの切り替えが行われてもよい。「表示輝度が一時的に制限されている場合」は「制限された表示輝度が第１輝度として使用される場合」とも言える。
【００５８】
また、第１閾値と第２閾値の少なくとも一方は、ＲＡＷ画像データのメタデータに基づいて決定されてもよい。ＲＡＷ画像データを用いた過去の処理において使用された装置に関する装置情報が取得され、装置情報に基づいて第１閾値と第２閾値の少なくとも一方が決定されてもよい。装置情報の取得方法は特に限定されない。ＲＡＷ画像データのメタデータに装置情報が含まれており、メタデータから装置情報が抽出されてもよい。ＲＡＷ画像データから独立したデータが、装置情報として取得されてもよい。現在使用中の表示装置と、過去に使用された表示装置との間で、表示輝度の上限が互いに異なる可能性が高い。例えば、バッテリーで駆動される民生用表示装置と、編集室等で使用される業務用表示装置との間で、表示輝度の上限が互いに異なる可能性が高い。そのため、装置情報に基づいて第１閾値と第２閾値の少なくとも一方を決定することにより、第１閾値と第２閾値の少なくとも一方としてより好適な値を使用することができる。その結果、ＲＡＷ画像データに基づく画像の表示を過去の表示に近づけることのできる現像画像データをより確実に設定することができる。
【００５９】
また、本実施例に係る画像処理装置が、撮像によってＲＡＷ画像データを生成する撮像機能を有していない表示装置に設けられている例を説明したが、これに限られない。撮像によってＲＡＷ画像データを生成可能な撮像装置に、本実施例に係る画像処理装置が設けられていてもよい。撮像機能を有する表示装置（スマートフォン、タブレット型端末、等）に、本実施例に係る画像処理装置が設けられてもよい。これらの場合においても、図２の処理フローと同様の処理フローによって現像画像データが生成されることにより、ＲＡＷ画像データに基づく画像の表示を過去の表示に近づけることができる。
【００６０】
また、上述したように、本実施例に係る画像処理装置は、表示装置とは別体の装置であってもよい。現像画像データに基づく画像を表示する表示機能を有さない装置に、本実施例に係る画像処理装置が設けられていてもよい。表示機能を有さないＰＣに本実施例に係る画像処理装置が設けられていてもよい。その場合には、ＰＣによって生成された現像画像データが、ＰＣから、ＰＣとは別体の表示装置へ送られ、表示装置において、現像画像データに基づく画像が表示される。
【００６１】
図７は、本実施例に係る画像処理装置を有する演算装置（ＰＣ）７００の機能構成の一例を示すブロック図である。図７において、図１と同じ機能部には図１と同じ符号が付されている。図７に示すように、演算装置７００は、画像入力部１０１、記憶部１０２、画像処理部１０３、通信部７０１、描画部７０２、及び、画像出力部７０３を有する。
【００６２】
通信部７０１は、不図示の表示装置との間での通信を行い、表示装置の第１輝度情報を取得する。そして、通信部７０１は、取得した第１輝度情報を、画像処理部１０３の表示輝度取得部１０５へ出力する。例えば、通信部７０１は、不図示の表示装置との間でのシリアル通信を実行可能なデバイスと、そのドライバとで構成される。そして、通信部７０１は、シリアル通信を行うことにより、第１輝度情報を取得する。なお、通信部７０１は、画像出力部７０３と一体に構成されてもよい。そして、各種画像インタフェース規格でサポートされる通信によって、第１輝度情報が取得されてもよい。また、第１輝度情報は、表示装置とは異なる装置から取得されてもよい。
【００６３】
演算装置７００の画像処理部１０３は、図１の画像処理部１０３と同様の機能を有する。但し、演算装置７００の画像処理部１０３は、生成した現像画像データを記憶部１０２に記録する。
【００６４】
描画部７０２は、記憶部１０２が記憶している１つ以上の画像データ（現像画像データ、予め用意されたグラフィック画像データ、等）を用いて、表示用の画像データ（表示画像データ）を生成する。そして、描画部７０２は、表示画像データを画像出力部７０３に出力する。
【００６５】
画像出力部７０３は、描画部７０２から出力された表示画像データを、不図示の表示装置に出力する。それにより、画像処理部１０３によって生成された現像画像データに基づく画像が、表示装置で表示される。表示画像データは、ケーブルを介して表示装置に出力されてもよいし、無線で表示装置に出力されてもよい。
【００６６】
上述した演算装置７００を使用することにより、表示装置とは別体の装置で現像処理が行われる場合において、ＲＡＷ画像データに基づく画像の表示を過去の表示に近づけることができる。
【００６７】
また、本実施例に係る画像処理装置は、クラウド（ネットワーク）上の演算装置に設けられていてもよい。その場合には、演算装置によって生成された現像画像データが、演算装置から、演算装置とは別体の表示装置へ送られ、表示装置において、現像画像データに基づく画像が表示される。
【００６８】
図８は、本実施例に係る画像処理装置を有する演算装置８００の機能構成の一例を示すブロック図である。演算装置８００は、クラウド上に設けられている。図８において、図１と同じ機能部には図１と同じ符号が付されている。図８に示すように、演算装置８００は、記憶部１０２、画像処理部１０３、及び、通信部８０１を有する。
【００６９】
通信部８０１は、不図示のアップロード装置から送信されるＲＡＷ画像データを取得し、取得したＲＡＷ画像データを記憶部１０２に記録する。アップロード装置は、ＲＡＷ画像データをクラウド上にアップロードする装置である。また、通信部８０１は、不図示のダウンロード装置（表示装置）との間で通信を行うことにより、ダウンロード装置から第１輝度情報を取得する。そして、通信部８０１は、取得した第１輝度情報を画像処理部１０３に出力する。また、通信部８０１は、画像処理部１０３によって生成された現像画像データを、不図示のダウンロード装置に出力する。それにより、画像処理部１０３によって生成された現像画像データに基づく画像が、ダウンロード装置で表示される。通信部８０１によるデータの送受信は、インターネットなどのネットワークを介して行われる。なお、第１輝度情報を出力するダウンロード装置は、現像画像データを取得するダウンロード装置と異なる装置であってもよい。第１輝度情報を出力するダウンロード装置は表示装置でなくてもよい。
【００７０】
演算装置８００の画像処理部１０３は、図１の画像処理部１０３と同様の機能を有する。但し、演算装置８００の画像処理部１０３は、生成した現像画像データを記憶部１０２に記録する。通信部８０１は、現像画像データを記憶部１０２から読み出し、読み出した現像画像データをダウンロード装置に出力する。
【００７１】
上述した演算装置８００を使用することにより、クラウド上で現像処理が行われる場合において、ＲＡＷ画像データに基づく画像の表示を過去の表示に近づけることができる。
【００７２】
＜実施例２＞
以下、本発明の実施例２について説明する。本実施例では、第１表示装置と第２表示装置を有する表示システムの例を説明する。第１表示装置は、ＲＡＷ画像データに基づく画像の今回の表示において使用される表示装置である。第２表示装置は、ＲＡＷ画像データに基づく画像の過去の表示において使用された表示装置である。第１表示装置と第２表示装置のそれぞれとして、例えば、表示装置、撮像装置、スマートフォン、タブレット型端末、ＰＣ（演算装置）、クラウド上の演算装置、等を使用することができる。
【００７３】
本実施例に係る表示システムでは、第２表示装置が、第２表示装置の基準の表示輝度である第２輝度に関する第２輝度情報を記憶し、ＲＡＷ画像データと第２輝度情報を第１表示装置へ出力する。第２輝度情報は、「実施例１で述べた装置情報の少なくとも一部」とも言える。本実施例では、第２輝度が変更可能であり、過去の処理（ＲＡＷ画像データに基づく画像の過去の表示のための処理）の期間における第２輝度に関する情報が、第２輝度情報として使用される。第２輝度は予め定められた固定値であってもよい。そして、第１表示装置が、自身の基準の表示輝度である第１輝度に関する第１輝度情報と、取得した第２輝度情報とに基づいて、ＲＡＷ画像データに基づく画像の表示が、第２表示装置による過去の表示に近づくように、現像パラメータを決定する。
【００７４】
なお、本実施例では、第１表示装置と第２表示装置のそれぞれが、現像処理を実行する画像処理装置（画像処理部）を有する例を説明するが、これに限られない。第１表示装置の画像処理装置は、第１表示装置とは別体の装置であってもよいし、第２表示装置の画像処理装置は、第２表示装置とは別体の装置であってもよい。また、本実施例では、第２表示装置が、撮像によってＲＡＷ画像データを生成する撮像機能を有する例を説明するが、第２表示装置は撮像機能を有していなくてもよい。例えば、第２表示装置とは別体の撮像装置が撮像によってＲＡＷ画像データを生成してもよい。また、第１表示装置は、第２表示装置とは異なる装置からＲＡＷ画像データを取得してもよいし、第２表示装置とは異なる装置から第２輝度情報を取得してもよい。
【００７５】
図９は、本実施例に係る第２表示装置９００の機能構成の一例を示すブロック図である。図９において、実施例１（図１）と同じ機能部には実施例１と同じ符号が付されている。図９に示すように、第２表示装置９００は、画像入力部１０１、記憶部１０２、パネル制御部１０８、表示部１０９、表示輝度決定部１１０、バックライト制御部１１１、及び、バックライトユニット１１２を有する。また、第２表示装置９００は、撮像部９０１、操作入力部９０２、画像処理部９０３、及び、通信部９０８を有する。
【００７６】
撮像部９０１は、撮像によってＲＡＷ画像データを生成し、ＲＡＷ画像データを記憶部１０２に記録する。具体的には、撮像部９０１は、第２表示装置９００の外部から撮像レンズを介して入力された光を電気信号（アナログデータ）に変換し、アナログデータをデジタルデータに変換する。それにより、ＲＡＷ画像データが生成される。
【００７７】
操作入力部９０２は、ユーザが第２表示装置９００に対して行う操作を受け付ける。本実施例では、操作入力部９０２は、ガンマ補正処理、ホワイトバランス調整処理、等の画
質調整処理に関する操作（画質調整操作）を受け付ける。そして、操作入力部９０２は、行われた画質調整操作に応じた制御信号を、画像処理部９０３に出力する。「画質調整操作に応じた制御信号」は、「第２表示装置９００のユーザが所望する画質に応じた制御信号」とも言える。
【００７８】
画像処理部９０３は、操作入力部９０２から取得した制御信号に基づく現像処理を、記憶部１０２から取得したＲＡＷ画像データに施すことにより、現像画像データを生成する。そして、画像処理部９０３は、現像画像データをパネル制御部１０８に出力する。ここで、「記憶部１０２から取得したＲＡＷ画像データ」は、「画像入力部１０１によって取得されたＲＡＷ画像データ」または「撮像部９０１によって生成されたＲＡＷ画像データ」である。
【００７９】
また、画像処理部９０３は、現像処理の実行時における第２輝度に関する第２輝度情報を、表示輝度決定部１１０から取得する。具体的には、画像処理部９０３は、ＲＡＷ画像データに基づく画像を第２表示装置が表示する際に使用された第２輝度に関する第２輝度情報を、表示輝度決定部１１０から取得する。そして、画像処理部９０３は、取得したＲＡＷ画像データに、取得した第２輝度情報を付加し、第２輝度情報が付加されているＲＡＷ画像データを、記憶部１０２に記録する。第２輝度情報は、ＲＡＷ画像データのメタデータの少なくとも一部として、ＲＡＷ画像データに付加される。
【００８０】
通信部９０８は、第２輝度情報が付加されているＲＡＷ画像データを記憶部１０２から読み出し、読み出したＲＡＷ画像データを、インターネットなどのネットワークを介して、第２表示装置９００の外部の装置（サーバなど）に出力する。第１表示装置は、サーバなどの装置から、第２輝度情報が付加されているＲＡＷ画像データを取得する。なお、通信部９０８は、画像インタフェース等を用いて、第２輝度情報が付加されているＲＡＷ画像データを、他の装置を介さずに、第１表示装置に直接出力してもよい。また、ＲＡＷ画像データと第２輝度情報とが個別に出力されてもよい。シリアル通信などの汎用通信、各種画像インタフェース規格でサポートされる通信、等を用いて、ＲＡＷ画像データから独立したデータである第２輝度情報が第１表示装置などに通知されてもよい。
【００８１】
画像処理部９０３について、より詳細に説明する。画像処理部９０３は、ＲＡＷ現像部１０７、ＲＡＷ画像取得部９０４、パラメータ制御部９０５、表示輝度取得部９０６、及び、ＲＡＷ画像編集部９０７を有する。
【００８２】
ＲＡＷ画像取得部９０４は、記憶部１０２からＲＡＷ画像データを取得し、取得したＲＡＷ画像データを、パラメータ制御部９０５、ＲＡＷ現像部１０７、及び、ＲＡＷ画像編集部９０７に出力する。
【００８３】
パラメータ制御部９０５は、操作入力部９０２からの制御信号に基づいて現像パラメータを決定する。そして、パラメータ制御部９０５は、決定した現像パラメータを、ＲＡＷ現像部１０７とＲＡＷ画像編集部９０７に出力する。なお、制御信号に基づく現像パラメータの決定は行われずに、他の現像パラメータが使用されてもよい。例えば、ＲＡＷ画像データに現像パラメータが付加されている場合に、ＲＡＷ画像データに付加されている現像パラメータが抽出されて使用されてもよい。また、ＲＡＷ画像データに付加されている現像パラメータが、デフォルトの現像パラメータなどとして使用されてもよい。ＲＡＷ画像データに付加されている現像パラメータが制御信号に基づいて補正され、補正後の現像パラメータが使用されてもよい。
【００８４】
表示輝度取得部９０６は、現像処理の実行時における第２輝度に関する第２輝度情報を、表示輝度決定部１１０から取得する。例えば、表示輝度取得部９０６は、ＲＡＷ現像部
１０７が現像処理を行った瞬間の第２輝度に関する第２輝度情報を、表示輝度決定部１１０から取得する。そして、表示輝度取得部９０６は、取得した第２輝度情報をＲＡＷ画像編集部９０７に出力する。
【００８５】
なお、第２表示装置９００の画面内において、第２輝度が均一でないことがある。即ち、画面内の複数の領域にそれぞれ対応する複数の第２輝度が存在することがある。その場合には、例えば、表示輝度決定部１１０は、複数の第２輝度の最大値、複数の第２輝度の最小値、及び、複数の第２輝度の平均値の少なくともいずれかに関する情報を、第２輝度情報として生成する。
【００８６】
また、第２輝度情報は、現像処理が行われた瞬間の第２輝度に関する情報に限られない。例えば、第２輝度情報は、ユーザが画質調整操作を行った瞬間の第２輝度に関する情報であってもよい。第２表示装置９００において、複数の表示輝度の間で第２輝度を変えながら、ＲＡＷ画像データに基づく画像の表示が行われることがある。そのため、過去の処理の期間における複数のタイミングにそれぞれ対応する複数の第２輝度の代表値（最大値、最小値、平均値、中間値、最頻値、等）に関する情報が、第２輝度情報として生成されてもよい。ＲＡＷ画像データに基づく画像の表示が行われている期間における第２輝度の時間平均に関する情報が、第２輝度情報として生成されてもよい。
【００８７】
また、第２輝度の決定方法は特に限定されないため、第２輝度が、ＲＡＷ画像データの輝度に関する特徴量に依存することがある。特徴量は、ＲＡＷ画像データの階調値の代表値、ＲＡＷ画像データの階調値のヒストグラム、等である。例えば、ＲＡＷ画像データの平均階調値（階調値の平均値；ＡＰＬ（Ａｖｅｒａｇｅ  Ｐｉｃｔｕｒｅ  Ｌｅｖｅｌ））が閾値より大きい場合に、所定値よりも低い表示輝度に第２輝度が制限されることがある。このような処理は、「ＡＢＬ（Ａｕｔｏ  Ｂｒｉｇｈｔｎｅｓｓ  Ｌｉｍｉｔｅｒ）」などと呼ばれる。そのため、特徴量と第２輝度の対応関係、ＡＢＬの特性、等に関する情報が、第２輝度情報として生成されてもよい。
【００８８】
ＲＡＷ画像編集部９０７は、ＲＡＷ画像取得部９０４から出力されたＲＡＷ画像データに、パラメータ制御部９０５によって決定された現像パラメータと、表示輝度取得部９０６によって取得された第２輝度情報とを、メタデータとして付加する。そして、ＲＡＷ画像編集部９０７は、上記メタデータが付加されているＲＡＷ画像データを、記憶部１０２に記録する。本実施例では、第１表示装置において、ＲＡＷ画像データに付加されている現像パラメータが、基準の現像パラメータとして使用される。なお、実施例１で述べたように、基準の現像パラメータは特に限定されない。ＲＡＷ画像データに付加されている現像パラメータとは異なる現像パラメータが、基準の現像パラメータとして使用されてもよい。例えば、第１表示装置に対して予め定められた現像パラメータが、基準の現像パラメータとして使用されてもよい。そのため、ＲＡＷ画像編集部９０７において、現像パラメータの付加は省略されてもよい。
【００８９】
図１０は、本実施例に係る第１表示装置１０００の機能構成の一例を示すブロック図である。図１０において、実施例１（図１）と同じ機能部には実施例１と同じ符号が付されている。図１０に示すように、第１表示装置１０００は、画像入力部１０１、記憶部１０２、パネル制御部１０８、表示部１０９、表示輝度決定部１１０、バックライト制御部１１１、バックライトユニット１１２、及び、画像処理部１００１を有する。
【００９０】
画像処理部１００１は、図１の画像処理部１０３と同様の機能を有する。但し、画像処理部１００１は、第１輝度情報と、ＲＡＷ画像データに付加されている第２輝度情報とに基づいて、現像パラメータを決定して設定する。これにより、第１表示装置１０００において、ＲＡＷ画像データに基づく画像の表示を、第２表示装置による過去の表示に近づけ
ることができる。
【００９１】
画像処理部１００１について、より詳細に説明する。画像処理部１００１は、表示輝度取得部１０５、ＲＡＷ現像部１０７、ＲＡＷ画像取得部１００２、第２輝度情報抽出部１００３、及び、パラメータ制御部１００４を有する。図１１は、画像処理部１００１の処理フローの一例を示すフローチャートである。図１１において、実施例１（図２）と同じ処理には実施例１と同じ符号が付されている。以下では、図１１のフローチャートを用いて、画像処理部１００１の各機能部の処理について説明する。
【００９２】
まず、ＲＡＷ画像取得部１００２は、記憶部１０２からＲＡＷ画像データを取得し、取得したＲＡＷ画像データを、第２輝度情報抽出部１００３、パラメータ制御部１００４、及び、ＲＡＷ現像部１０７に出力する（Ｓ２０１）。次に、第２輝度情報抽出部１００３は、ＲＡＷ画像取得部１００２によって出力されたＲＡＷ画像データから第２輝度情報を抽出し、抽出した第２輝度情報をパラメータ制御部１００４に出力する（Ｓ１１０１）。そして、表示輝度取得部１０５は、表示輝度決定部１１０から第１輝度情報を取得し、取得した第１輝度情報をパラメータ制御部１００４に出力する（Ｓ２０２）。なお、Ｓ２０１の処理、Ｓ１１０１の処理、等と並列にＳ２０２の処理が行われてもよいし、Ｓ２０１の処理よりも前にＳ２０２の処理が行われてもよいし、Ｓ１１０１の処理よりも前にＳ２０２の処理が行われてもよい。
【００９３】
次に、パラメータ制御部１００４は、第２輝度情報抽出部１００３から出力された第２輝度情報に基づいて、第２輝度情報に関連した第２輝度と略同一の値を第１閾値として決定し、第２輝度情報に関連した第２輝度と略同一の値を第２閾値として決定する。本実施例では、第２輝度と完全に一致する値が第１閾値および第２閾値として決定される。そして、パラメータ制御部１００４は、表示輝度取得部１０５から出力された第１輝度情報に関連した第１輝度が第２輝度と等しいか否かを判断する（Ｓ１１０２）。Ｓ１１０２の処理は、図２のＳ２０３の処理に対応する。第１輝度が第２輝度と等しい場合には、Ｓ２０４、Ｓ２０８、及び、Ｓ２０９の処理が行われる。即ち、基準の現像パラメータを用いた表示が行われる。本実施例では、パラメータ制御部１００４は、ＲＡＷ画像取得部１００２によって出力されたＲＡＷ画像データから、現像パラメータを、基準の現像パラメータとして抽出する。第１輝度が第２輝度と異なる場合には、Ｓ１１０３へ処理が進められる。
【００９４】
なお、第１閾値は第２輝度と完全に一致していなくてもよいし、第２閾値は第２輝度と完全に一致していなくてもよい。第２輝度情報に基づいて第１閾値と第２閾値の一方のみが決定されてもよい。第１閾値と第２閾値の一方として、第２輝度情報に基づく値とは異なる値が使用されてもよい。
【００９５】
Ｓ１１０３にて、パラメータ制御部１００４は、第１輝度が第２輝度よりも低いか否かを判断する。Ｓ１１０３の処理は、図２のＳ２０５の処理に対応する。第１輝度が第２輝度よりも低い場合には、Ｓ２０６、Ｓ２０８、及び、Ｓ２０９の処理が行われる。即ち、第１現像パラメータを用いた表示が行われる。第１輝度が第２輝度よりも高い場合には、Ｓ２０７、Ｓ２０８、及び、Ｓ２０９の処理が行われる。即ち、第２現像パラメータを用いた表示が行われる。
【００９６】
以上述べたように、本実施例によれば、第２輝度と略同一の値が閾値（第１閾値と第２閾値の少なくとも一方）として使用される。それにより、第１表示装置において、ＲＡＷ画像データに基づく画像の表示を、第２表示装置による過去の表示に近づけることができる。
【００９７】
第１輝度が第２輝度よりも低く、且つ、基準の現像パラメータが使用される場合には、第１表示装置において、第２表示装置による過去の表示よりも暗い表示が行われる可能性が高い。本実施例では、第１表示装置は、第１輝度が第２輝度よりも低い場合に、第１現像パラメータを用いた現像処理を行う。それにより、第１表示装置において、基準の現像パラメータを用いた場合の表示輝度よりも高い表示輝度を実現でき、第２表示装置による過去の表示に近い表示を実現することができる。
【００９８】
第１輝度が第２輝度よりも高く、且つ、基準の現像パラメータが使用される場合には、第１表示装置において、第２表示装置による過去の表示よりも明るい表示が行われる可能性が高い。本実施例では、第１表示装置は、第１輝度が第２輝度よりも高い場合に、第２現像パラメータを用いた現像処理を行う。それにより、第１表示装置において、基準の現像パラメータを用いた場合の表示輝度よりも低い表示輝度を実現でき、第２表示装置による過去の表示に近い表示を実現することができる。
【００９９】
なお、第１表示装置において、第２輝度情報が取得されなかった場合には、実施例１と同様の方法で決定された閾値（第１閾値と第２閾値）を用いて現像パラメータを決定すればよい。
【０１００】
また、第１表示装置において、第２輝度情報として、複数の第２輝度に関する情報が取得されてもよい。また、第１表示装置において、基準の現像パラメータの候補として、複数の第２輝度にそれぞれ対応する複数の現像パラメータが取得されてもよい。第２表示装置を用いた過去の処理において、ユーザからの指示などにより、複数の第２輝度のそれぞれについて現像パラメータが決定されることがある。そのような場合などにおいて、第１表示装置は、複数の第２輝度に関する第２輝度情報、複数の第２輝度にそれぞれ対応する複数の現像パラメータ、等を取得する。
【０１０１】
複数の第２輝度に関する第２輝度情報を第１表示装置が取得した場合には、例えば、第１表示装置は、複数の第２輝度のうち、現在の第１輝度に最も近い第２輝度に基づいて、閾値（第１閾値と第２閾値の少なくとも一方）を決定する。そして、複数の第２輝度に関する複数の現像パラメータを第１表示装置がさらに取得した場合には、例えば、第１表示装置は、閾値の決定に使用した第２輝度に対応する現像パラメータを、基準の現像パラメータとして使用する。これらにより、第１表示装置の表示輝度を大きく変更せずに、第１表示装置の表示を第２表示装置の表示に近づけることができる。
【０１０２】
なお、第１輝度は適宜変更されてもよい。図１２は、第１輝度を適宜変更する第１表示装置１２００の機能構成の一例を示すブロック図である。図１２において、図１０と同じ機能部には図１０と同じ符号が付されている。図１２に示すように、第１表示装置１２００は、画像入力部１０１、記憶部１０２、パネル制御部１０８、表示部１０９、表示輝度決定部１１０、バックライト制御部１１１、バックライトユニット１１２、及び、画像処理部１２０１を有する。画像処理部１２０１は、表示輝度取得部１０５、ＲＡＷ現像部１０７、ＲＡＷ画像取得部１００２、第２輝度情報抽出部１００３、パラメータ制御部１００４、及び、表示輝度指示部１２０２を有する。
【０１０３】
表示輝度指示部１２０２は、第２輝度情報抽出部１００３によって抽出された第２輝度情報に関連する第２輝度に応じて、第１輝度を決定する。そして、表示輝度指示部１２０２は、決定した第１輝度の設定を表示輝度決定部１１０に指示する。図１２の表示輝度決定部１１０は、図１，１０の表示輝度決定部１１０と同様の機能を有する。但し、図１２の表示輝度決定部１１０は、第１輝度の設定が表示輝度指示部１２０２から指示されると、当該第１輝度（第２輝度に応じた第１輝度）に関する第１輝度情報を、表示輝度取得部１０５とバックライト制御部１１１に出力する（第１輝度の更新）。
【０１０４】
図１３は、画像処理部１２０１の処理フローの一例を示すフローチャートである。図１３において、図１１と同じ処理には図１１と同じ符号が付されている。図１３のフローチャートに示すように、画像処理部１２０１では、Ｓ１１０１の処理とＳ２０２の処理との間に、Ｓ１３０１の処理が行われる。
【０１０５】
Ｓ１３０１にて、表示輝度指示部１２０２は、第２輝度情報抽出部１００３によって抽出された第２輝度情報に関連する第２輝度に応じて、第１輝度を決定する。例えば、表示輝度指示部１２０２は、第２輝度と同じ表示輝度を、第１輝度として決定する。第２輝度と同じ第１輝度が設定できない場合には、表示輝度指示部１２０２は、第１輝度として設定可能な複数の表示輝度のうち、第２輝度に最も近い表示輝度を、第１輝度として決定する。そして、表示輝度指示部１２０２は、決定した第１輝度の設定を表示輝度決定部１１０に指示する。
【０１０６】
上述したように、本実施例では、表示輝度決定部１１０は、第１輝度の設定が表示輝度指示部１２０２から指示されると、当該第１輝度（第２輝度に応じた第１輝度）に関する第１輝度情報を、表示輝度取得部１０５とバックライト制御部１１１に出力する。そのため、Ｓ２０２では、表示輝度取得部１０５は、Ｓ１３０１において決定された第１輝度に関する第１輝度情報を取得する。なお、Ｓ２０２の処理が省略され、Ｓ１３０１において決定された第１輝度に基づいて、Ｓ１１０２以降の処理が行われてもよい。
【０１０７】
第１表示装置１２００では、第２輝度、または、第２輝度に近い表示輝度が、第１輝度として設定されたうえで、第１表示装置１２００の表示が第２表示装置の表示に近づけられる。それにより、第１表示装置１２００の表示として、第２表示装置の表示により近い表示を実現することができる。
【０１０８】
なお、実施例１，２の装置の各機能部は、個別のハードウェアであってもよいし、そうでなくてもよい。２つ以上の機能部の機能が、共通のハードウェアによって実現されてもよい。１つの機能部の複数の機能のそれぞれが、個別のハードウェアによって実現されてもよい。１つの機能部の２つ以上の機能が、共通のハードウェアによって実現されてもよい。また、各機能部は、ハードウェアによって実現されてもよいし、そうでなくてもよい。例えば、装置が、プロセッサと、制御プログラムが格納されたメモリとを有していてもよい。そして、装置が有する少なくとも一部の機能部の機能が、プロセッサがメモリから制御プログラムを読み出して実行することにより実現されてもよい。
【０１０９】
なお、実施例１，２はあくまで一例であり、本発明の要旨の範囲内で実施例１，２の構成を適宜変形したり変更したりすることにより得られる構成も、本発明に含まれる。実施例１，２の構成を適宜組み合わせて得られる構成も、本発明に含まれる。
【０１１０】
＜その他の実施例＞
本発明は、上述の実施例の１以上の機能を実現するプログラムを、ネットワーク又は記憶媒体を介してシステム又は装置に供給し、そのシステム又は装置のコンピュータにおける１つ以上のプロセッサがプログラムを読出し実行する処理でも実現可能である。また、１以上の機能を実現する回路（例えば、ＡＳＩＣ）によっても実現可能である。
【符号の説明】
【０１１１】
１００：表示装置  １０３，１００１，１２０１：画像処理部
１０４，１００２：ＲＡＷ画像取得部  １０５：表示輝度取得部
１０６，１００４：パラメータ制御部  １０７：ＲＡＷ現像部
７００，８００：演算装置  １０００，１２００：第１表示装置
【図１】
2018046429.tif 000003
【図２】
2018046429.tif 000004
【図３】
2018046429.tif 000005
【図４】
2018046429.tif 000006
【図５】
2018046429.tif 000007
【図６】
2018046429.tif 000008
【図７】
2018046429.tif 000009
【図８】
2018046429.tif 000010
【図９】
2018046429.tif 000011
【図１０】
2018046429.tif 000012
【図１１】
2018046429.tif 000013
【図１２】
2018046429.tif 000014
【図１３】
2018046429.tif 000015